(57)【要約】【課題】原稿が複数の画像を割り付けた割付原稿であるか否かを判定する画像処理方法、画像処理装置、画像形成装置、コンピュータプログラム、及び記録媒体の提供。【解決手段】入力されたＲＧＢ信号を輝度信号に変換する信号変換処理（Ｓ１２）及び解像度変換処理（Ｓ１３）を行った後、画像の主走査方向及び副走査方向に沿った複数のラインについて各ラインの特徴量を算出する（Ｓ１４）。そして、主走査方向及び副走査方向のそれぞれについて特徴量の解析を行い（Ｓ１５）、主走査方向に空白領域が１つ存在するか（Ｓ１６）、副走査方向に空白領域が１つ存在するか（Ｓ１８）の判断に基づき割付原稿であるか否かを判定する。【選択図】図６
2008305099.tif 000002
【特許請求の範囲】
【請求項１】
原稿を読み取ることにより得られる画像に基づき、前記原稿の種別を判定する画像処理方法において、
前記画像を主走査方向及び副走査方向に走査し、該主走査方向及び副走査方向に沿った複数のラインについて各ラインの特徴を表す特徴量を算出し、算出した特徴量の分布を前記主走査方向及び副走査方向の夫々について求め、各ラインの特徴量と予め定めた閾値とを比較し、特徴量が存在しないと判断されるラインが所定の条件を満たして存在するか否かを前記求めた特徴量の分布に基づいて判定し、判定した結果に応じて前記原稿が複数の画像を１頁内に割り付けた割付原稿であるか否かを判定することを特徴とする画像処理方法。
【請求項２】
原稿を読み取ることにより得られる画像に基づき、前記原稿の種別を判定する画像処理装置において、
前記画像を主走査方向及び副走査方向に走査して、該主走査方向及び副走査方向に沿った複数のラインについて各ラインの特徴を表す特徴量を算出する手段と、算出した特徴量の分布を前記主走査方向及び副走査方向の夫々について求める手段と、各ラインの特徴量と予め定めた閾値とを比較し、特徴量が存在しないと判断されるラインが所定の条件を満たして存在するか否かを前記求めた特徴量の分布に基づいて判定する手段と、該手段による判定結果に応じて前記原稿が複数の画像を１頁内に割り付けた割付原稿であるか否かを判定する手段とを備えることを特徴とする画像処理装置。
【請求項３】
走査する画像を２値化する手段と、走査した各ライン上で２値の一方から他方に反転する回数を計数する手段とを備え、該手段により計数した回数を前記特徴量としてあることを特徴とする請求項２に記載の画像処理装置。
【請求項４】
走査した各ライン上で画像のエッジを検出する手段と、検出したエッジの数をライン毎に計数する手段とを備え、該手段により計数したエッジの数を前記特徴量としてあることを特徴とする請求項２に記載の画像処理装置。
【請求項５】
走査した各ラインに含まれる画素について画素値の平均値を算出する手段を備え、該手段により算出した画素値の平均値を前記特徴量としてあることを特徴とする請求項２に記載の画像処理装置。
【請求項６】
走査した各ラインに含まれる画素について画素値のばらつきを算出する手段を備え、該手段により算出した画素値のばらつきを前記特徴量としてあることを特徴とする請求項２に記載の画像処理装置。
【請求項７】
走査する画像を低解像度化する手段を更に備えることを特徴とする請求項２乃至請求項６の何れか１つに記載の画像処理装置。
【請求項８】
請求項２乃至請求項７の何れか１つに記載の画像処理装置と、該画像処理装置により処理された画像をシート上に形成する手段とを備えることを特徴とする画像形成装置。
【請求項９】
コンピュータに、原稿を読み取ることにより得られた画像に基づいて前記原稿の種別を判定させるコンピュータプログラムにおいて、
コンピュータに、前記画像を主走査方向及び副走査方向に走査させるステップと、コンピュータに、該主走査方向及び副走査方向に沿った複数のラインについて各ラインの特徴を表す特徴量を算出させるステップと、コンピュータに、算出させた特徴量の分布を前記主走査方向及び副走査方向の夫々について求めさせるステップと、コンピュータに、各ラインの特徴量と予め定めた閾値とを比較させ、特徴量が存在しないと判断されるラインが所定の条件を満たして存在するか否かを前記求めさせた特徴量の分布に基づいて判定させるステップと、コンピュータに、判定させた結果に応じて前記原稿が複数の画像を１頁内に割り付けた割付原稿であるか否かを判定させるステップとを有することを特徴とするコンピュータプログラム。
【請求項１０】
コンピュータに、原稿を読み取ることにより得られた画像に基づいて前記原稿の種別を判定させるコンピュータプログラムが記録されているコンピュータでの読み取りが可能な記録媒体において、
コンピュータに、前記画像を主走査方向及び副走査方向に走査させるステップと、コンピュータに、該主走査方向及び副走査方向に沿った複数のラインについて各ラインの特徴を表す特徴量を算出させるステップと、コンピュータに、算出させた特徴量の分布を前記主走査方向及び副走査方向の夫々について求めさせるステップと、コンピュータに、各ラインの特徴量と予め定めた閾値とを比較させ、特徴量が存在しないと判断されるラインが所定の条件を満たして存在するか否かを前記求めさせた特徴量の分布に基づいて判定させるステップと、コンピュータに、判定させた結果に応じて前記原稿が複数の画像を１頁内に割り付けた割付原稿であるか否かを判定させるステップとを有するコンピュータプログラムが記録されていることを特徴とするコンピュータでの読み取りが可能な記録媒体。
【発明の詳細な説明】
【技術分野】
【０００１】
本発明は、原稿が複数の画像を割り付けた割付原稿であるか否かを判定する画像処理方法、画像処理装置、画像形成装置、コンピュータプログラム、及び記録媒体に関する。
【背景技術】
【０００２】
従来、印刷枚数を低減する方法として、１枚の紙面に２つの原稿、あるいは４つの原稿を割り付けて印刷するＮｉｎ１機能（又はＮｕｐ機能）と呼ばれる方法があり、原稿画像を複写、あるいは、電子データとして保存したり、コンピュータで作成した文書を印刷する際に利用されている。
【０００３】
例えば、特許文献１では、製本原稿の見開き左右頁を分割して一枚ずつの転写紙に転写する独立頁モードを選択した時に、独立頁の綴じ部部分の読み取り画像を転写紙の綴じ部側に強制的にオーバーラップさせてプリントすることが記載されている。これにより、検出した綴じ部位置と実際の綴じ部位置とのずれに伴う、独立頁モードでの読み取り画像データの左右頁の分割位置ずれによる画像欠けをなくすことができる。
【０００４】
また、特許文献２では、特定サイズの原稿（例えば、Ａ３サイズ）について、２頁分割読み取り送信モードを設け、特定のサイズの原稿情報を送信する場合、原稿情報の右半分を読み取り、縦横変換して送信し、続いて原稿情報の左半分を読み取り、縦横変換して送信することが記載されている。
【特許文献１】特開平９−１６６９３８号公報
【特許文献２】特開平１０−１９０８９５号公報
【発明の開示】
【発明が解決しようとする課題】
【０００５】
しかしながら、前述した従来技術では、２面割付原稿を片面ずつ複写する場合、独立頁モード（特許文献１）、２頁分割読み取り送信モード（特許文献２）など、画像モードを設ける必要がある。
【０００６】
そのため、割り付けを行っていない原稿と割り付けを行った原稿とが混在し、割り付けを行った原稿についてそれぞれの領域毎に印刷する場合、画像モードを設ける方法では対応できないという問題点を有する。
【０００７】
本発明は斯かる事情に鑑みてなされたものであり、主走査方向及び副走査方向に沿った複数のラインについて各ラインの特徴を表す特徴量を算出し、各ラインの特徴量と予め定めた閾値とを比較し、特徴量が存在しないと判断されるラインが所定の条件を満たして存在するか否かを判定することによって割付原稿であるか否かを判定する構成とすることにより、割付原稿と通常の原稿とが混在している場合であっても、特定の処理モードを設定することなく割付原稿であるか否かを判定することができる画像処理方法、画像処理装置、画像形成装置、コンピュータプログラム、及び記録媒体を提供することを目的とする。
【課題を解決するための手段】
【０００８】
本発明に係る画像処理方法は、原稿を読み取ることにより得られる画像に基づき、前記原稿の種別を判定する画像処理方法において、前記画像を主走査方向及び副走査方向に走査し、該主走査方向及び副走査方向に沿った複数のラインについて各ラインの特徴を表す特徴量を算出し、算出した特徴量の分布を前記主走査方向及び副走査方向の夫々について求め、各ラインの特徴量と予め定めた閾値とを比較し、特徴量が存在しないと判断されるラインが所定の条件を満たして存在するか否かを前記求めた特徴量の分布に基づいて判定し、判定した結果に応じて前記原稿が複数の画像を１頁内に割り付けた割付原稿であるか否かを判定することを特徴とする。
【０００９】
本発明にあっては、主走査方向及び副走査方向に沿った複数のラインについて各ラインの特徴を表す特徴量を算出し、各ラインの特徴量と予め定めた閾値とを比較し、特徴量が存在しないと判断されるラインが所定の条件を満たして存在するか否かを判定することによって割付原稿であるか否かを判定するようにしているため、割付原稿と割付原稿でない通常の原稿とが混在している場合であっても、特定の処理モードを設定することなく割付原稿であるか否かが判定される。
【００１０】
本発明に係る画像処理装置は、原稿を読み取ることにより得られる画像に基づき、前記原稿の種別を判定する画像処理装置において、前記画像を主走査方向及び副走査方向に走査して、該主走査方向及び副走査方向に沿った複数のラインについて各ラインの特徴を表す特徴量を算出する手段と、算出した特徴量の分布を前記主走査方向及び副走査方向の夫々について求める手段と、各ラインの特徴量と予め定めた閾値とを比較し、特徴量が存在しないと判断されるラインが所定の条件を満たして存在するか否かを前記求めた特徴量の分布に基づいて判定する手段と、該手段による判定結果に応じて前記原稿が複数の画像を１頁内に割り付けた割付原稿であるか否かを判定する手段とを備えることを特徴とする。
【００１１】
本発明にあっては、主走査方向及び副走査方向に沿った複数のラインについて各ラインの特徴を表す特徴量を算出し、各ラインの特徴量と予め定めた閾値とを比較し、特徴量が存在しないと判断されるラインが所定の条件を満たして存在するか否かを判定することによって割付原稿であるか否かを判定するようにしているため、割付原稿と割付原稿でない通常の原稿とが混在している場合であっても、特定の処理モードを設定することなく割付原稿であるか否かが判定される。
【００１２】
本発明に係る画像処理装置は、走査する画像を２値化する手段と、走査した各ライン上で２値の一方から他方に反転する回数を計数する手段とを備え、該手段により計数した回数を前記特徴量としてあることを特徴とする。
【００１３】
本発明にあっては、特殊なパラメータではなく、一般的によく用いられている特徴量として反転回数を用いて割付原稿の判定が可能となる。
【００１４】
本発明に係る画像処理装置は、走査した各ライン上で画像のエッジを検出する手段と、検出したエッジの数をライン毎に計数する手段とを備え、該手段により計数したエッジの数を前記特徴量としてあることを特徴とする。
【００１５】
本発明にあっては、特殊なパラメータではなく、一般的によく用いられている特徴量としてエッジの数を用いて割付原稿の判定が可能となる。
【００１６】
本発明に係る画像処理装置は、走査した各ラインに含まれる画素について画素値の平均値を算出する手段を備え、該手段により算出した画素値の平均値を前記特徴量としてあることを特徴とする。
【００１７】
本発明にあっては、特殊なパラメータではなく、一般的によく用いられている特徴量として画素値の平均値を用いて割付原稿の判定が可能となる。
【００１８】
本発明に係る画像処理装置は、走査した各ラインに含まれる画素について画素値のばらつきを算出する手段を備え、該手段により算出した画素値のばらつきを前記特徴量としてあることを特徴とする。
【００１９】
本発明にあっては、特殊なパラメータではなく、一般的によく用いられている特徴量として画素値のばらつき（分散値）を用いて割付原稿の判定が可能となる。
【００２０】
本発明に係る画像処理装置は、走査する画像を低解像度化する手段を更に備えることを特徴とする。
【００２１】
本発明にあっては、判定精度を落とすことなく、データ量を少なくすることができる。割付原稿であるか否かを判断する空白領域は広いため、解像度を低下させても判定精度を低下させることはない。
【００２２】
本発明に係る画像形成装置は、前述した発明の何れか１つに記載の画像処理装置と、該画像処理装置により処理された画像をシート上に形成する手段とを備えることを特徴とする。
【００２３】
本発明にあっては、割付原稿であるか否かを自動的に判断するので、ユーザが画像モードを設定するなどの手間を省いた使い勝手のよい画像形成装置を提供することができる。
【００２４】
本発明に係るコンピュータプログラムは、コンピュータに、原稿を読み取ることにより得られた画像に基づいて前記原稿の種別を判定させるコンピュータプログラムにおいて、コンピュータに、前記画像を主走査方向及び副走査方向に走査させるステップと、コンピュータに、該主走査方向及び副走査方向に沿った複数のラインについて各ラインの特徴を表す特徴量を算出させるステップと、コンピュータに、算出させた特徴量の分布を前記主走査方向及び副走査方向の夫々について求めさせるステップと、コンピュータに、各ラインの特徴量と予め定めた閾値とを比較させ、特徴量が存在しないと判断されるラインが所定の条件を満たして存在するか否かを前記求めさせた特徴量の分布に基づいて判定させるステップと、コンピュータに、判定させた結果に応じて前記原稿が複数の画像を１頁内に割り付けた割付原稿であるか否かを判定させるステップとを有することを特徴とする。
【００２５】
本発明にあっては、割付原稿であるか否かの判定を行う画像処理方法をコンピュータが読み取り実行することができ、この画像処理方法を汎用的なものとすることができる。
【００２６】
本発明に係る記録媒体は、コンピュータに、原稿を読み取ることにより得られた画像に基づいて前記原稿の種別を判定させるコンピュータプログラムが記録されているコンピュータでの読み取りが可能な記録媒体において、コンピュータに、前記画像を主走査方向及び副走査方向に走査させるステップと、コンピュータに、該主走査方向及び副走査方向に沿った複数のラインについて各ラインの特徴を表す特徴量を算出させるステップと、コンピュータに、算出させた特徴量の分布を前記主走査方向及び副走査方向の夫々について求めさせるステップと、コンピュータに、各ラインの特徴量と予め定めた閾値とを比較させ、特徴量が存在しないと判断されるラインが所定の条件を満たして存在するか否かを前記求めさせた特徴量の分布に基づいて判定させるステップと、コンピュータに、判定させた結果に応じて前記原稿が複数の画像を１頁内に割り付けた割付原稿であるか否かを判定させるステップとを有するコンピュータプログラムが記録されていることを特徴とする。
【００２７】
本発明にあっては、記録媒体から読み出された画像処理プログラムによって、上記画像処理装置をコンピュータ上に実現することができる。
【発明の効果】
【００２８】
本発明による場合は、主走査方向及び副走査方向に沿った複数のラインについて各ラインの特徴を表す特徴量を算出し、各ラインの特徴量と予め定めた閾値とを比較し、特徴量が存在しないと判断されるラインが所定の条件を満たして存在するか否かを判定することによって割付原稿であるか否かを判定するようにしているため、割付原稿と割付原稿でない通常の原稿とが混在している場合であっても、特定の処理モードを設定することなく割付原稿であるか否かを判定することができる。
【００２９】
本発明による場合は、特殊なパラメータではなく、一般的によく用いられている特徴量、例えば、反転回数、エッジの数、画素値の平均値や分散値等を用いて割付原稿の判定が可能となる。
【００３０】
本発明による場合は、判定精度を落とすことなく、データ量を少なくすることができる。割付原稿であるか否かを判断する空白領域は広いため、解像度を低下させても判定精度を低下させることはない。
【００３１】
本発明による場合は、割付原稿であるか否かを自動的に判断するので、ユーザが画像モードを設定するなどの手間を省いた使い勝手のよい画像形成装置を提供することができる。
【００３２】
本発明による場合は、割付原稿であるか否かの判定を行う画像処理方法をコンピュータが読み取り実行することができ、この画像処理方法を汎用的なものとすることができる。
【００３３】
本発明による場合は、記録媒体から読み出された画像処理プログラムによって、上記画像処理装置をコンピュータ上に実現することができる。
【発明を実施するための最良の形態】
【００３４】
以下、本発明をその実施の形態を示す図面に基づいて具体的に説明する。
実施の形態１．
図１は本実施の形態に係る画像処理装置の内部構成を説明するブロック図である。本実施の形態に係る画像処理装置は、信号変換部５２１、解像度変換部５２２、主走査方向特徴量算出部５２３、主走査方向特徴量解析部５２４、副走査方向特徴量算出部５２５、副走査方向特徴量解析部５２６、判定部５２７を備える。
【００３５】
信号変換部５２１は、外部から入力されたＲＧＢ信号を次式により輝度信号Ｙに変換する処理を行う。
【００３６】
Ｙ＝０．３Ｒ＋０．５９Ｇ＋０．１１Ｂ
【００３７】
例えば、８ビット（２５６階調）の場合、Ｙ＝０は黒を表し、Ｙ＝２５５は白を表す。また、輝度信号ではなく、明度信号を用いてもよい。例えば、均等色空間の信号であるＬ* ａ* ｂ* 信号（ＣＩＥ国際照明委員会１９７６規定のＬ*ａ* ｂ* 信号（CIE : Commission International de l'Eclairage、Ｌ* ：明度、ａ* ，ｂ* ：色度））、又はＬ*ｕ* ｖ* 信号（ＣＩＥ国際照明委員会１９７６規定のＬ* ｕ* ｖ*信号（Ｌ* ：明度、ｕ* ，ｖ* ：色度））を用いてもよい。
【００３８】
なお、信号変換部５２１は、必ずしも画像処理装置内部に設ける必要はなく、例えば、上述した輝度信号、明度信号の代わりにＧ信号を用いてもよい。
【００３９】
解像度変換部５２２は、画像データを低解像度化する処理を行う。例えば、１２００ｄｐｉを１５０ｄｐｉ、６００ｄｐｉを７５ｄｐｉ等に変換する。解像度変換方法としては、補間する画素に一番近い、あるいは、補間する画素に対して所定の位置関係にある既存画素の値をその補間画素の値とするニアレストネイバー法、補間する画素を囲む４点の既存画素の距離に比例した形で重み付けした値の平均を求め、その値をその補間画素とするバイリニア法、補間する画素を囲む４点に加え、更にそれらを囲む１２点を加えた計１６点の画素の値を用いて補間演算を行うバイキュービック法の何れかを用いることができる。
【００４０】
主走査方向特徴量算出部５２３は、画像を主走査方向に走査し、走査したライン毎に特徴量を算出する。特徴量として、白から黒、又は黒から白への反転回数を用いることができる。この場合、主走査方向特徴量算出部５２３は、信号変換部５２１から出力される輝度信号Ｙの２値化を行う。そして、「０」又は「１」の２値のうち、「０」から「１」に変化する回数、及び「１」から「０」に変化する回数の合計をとり、反転回数を求める。なお、輝度信号の２値化には、予め設定した閾値（例えば、１２８）を用いて単純に２値化する手法、あるいは、注目画素を中心に複数の画素よりなるブロック（たとえば、３×３）を設定し、ブロックの画素値の平均値を求め、平均値を閾値として２値化する手法を用いることができる。
【００４１】
また、走査したライン毎に画像のエッジを検出し、検出したエッジの数を特徴量として用いるようにしてもよい。この場合、主走査方向特徴量算出部５２３は、注目画素と注目画素に隣接する右隣、又は左隣の画素との差分の絶対値を求め、この絶対値が閾値（例えば、５０）以上のときエッジを検出したとしてカウントする。また、隣接する画素の差分値ではなく、ゾーベルフィルタや２次微分フィルタなど公知のエッジ検出方向を用いて、検出結果を閾値処理してエッジを検出するようにしてもよい。
【００４２】
更に、走査したライン毎に画素値の平均値を算出し、算出した平均値を特徴量として用いてもよい。この場合、主走査方向特徴量算出部５２３は、ライン単位で画素値を加算し、そのラインに含まれる総画素数で除算して画素値の平均値を算出する。
【００４３】
更に、走査したライン毎の画素値のばらつき（分散）を算出し、算出した画素値のばらつきを特徴量として用いてもよい。すなわち、画像領域では分散値が大きくなり、非画像領域では小さくなるため画像の特徴量として用いることができる。この場合、主走査方向特徴量算出部５２３は、ライン単位で画素値を加算し、そのラインに含まれる総画素数で除算して画素値の平均値を算出すると共に、各画素における画素値の平均値からのずれの２乗和を算出する。
【００４４】
副走査方向特徴量算出部５２５は、副走査方向に画像を走査し、走査したライン毎に特徴量を算出する。特徴量の算出手法としては、主走査方向特徴量算出部５２３と同様の手法を用いることができる。
【００４５】
主走査方向特徴量解析部５２４は、主走査方向の特徴量の分布より主走査方向の原稿の特徴を求め、副走査方向特徴量解析部５２６は、副走査方向の特徴量の分布より副走査方向の原稿の特徴を求める。
【００４６】
判定部５２７は、主走査方向特徴量解析部５２４及び副走査方向特徴量解析部５２６による解析結果に基づき、読み取られた原稿が１頁内に複数の画像を割り付けた割付原稿であるか否かの判定を行う。
【００４７】
以下、主走査方向特徴量解析部５２４及び副走査方向特徴量解析部５２６が実行する処理について説明する。図２〜図５は主走査方向及び副走査方向の特徴量の分布の解析例を説明する説明図である。
【００４８】
図２に示した例は、複数行に亘って文字が記載された横書き原稿の画像を読み取り、主走査方向特徴量解析部５２４及び副走査方向特徴量解析部５２６にて解析を行った結果を示している。図中に示した主走査方向及び副走査方向の特徴量のヒストグラムは模擬的に表したものである。このような原稿の場合、行間があるため主走査方向に反転回数をカウントした場合、行間に対応した間隔毎に反転回数が現れる分布となる。一方、文字間隔は行間隔と比較して狭いため、副走査方向に反転回数をカウントした場合、ほぼ連続した分布になる。厳密には、文字と文字との間に僅かな空白があるため非連続の分布となるが、低解像度化を行わずにライン単位で特徴量を求める場合にはほぼ連続した分布になる。図３に示したように主走査方向及び副走査方向の中途にて空白の領域が存在しない分布が得られた場合、判定対象の原稿は割付画像がない通常の原稿であると判定することができる。
【００４９】
図３に示した例は、２頁分の原稿画像を１頁内に割り付けた割付原稿の画像を読み取り、主走査方向特徴量解析部５２４及び副走査方向特徴量解析部５２６にて解析を行った結果を示している。この場合、副走査には行間があるため行間に対応した間隔ごとに反転回数が現れる分布となる。一方、主走査方向には連続した分布が２つ現れる。原稿のレイアウトにもよるが、反転回数が所定値（例えば、２０）以下のラインが、特徴量の分布の間に２０ｍｍ程度（解像度が７５ｄｐｉの場合、６０ライン程度）存在するか否かにより割付原稿であるか否かを判定する。なお、原稿周辺部の余白部分は判定対象から除く。すなわち、反転回数が所定値以下のラインに、最初のライン又は最後のラインが含まれる場合は判定対象から除く。
【００５０】
図４に示した例は、画像の割り付けはなく、段組がある場合の原稿の画像を読み取り、主走査方向特徴量解析部５２４及び副走査方向特徴量解析部５２６にて解析を行った結果を示している。この場合、主走査方向に行間があるため行間に対応した間隔ごとに反転回数が現れる分布となる。一方、副走査方向には連続した分布が２つ現れる。この場合、副走査方向にのみ２つの連続した分布が現れることを判定材料として、割付原稿ではないと判定する。
【００５１】
図５に示した例は、４頁分の原稿画像を１頁内に割り付けた割付原稿の画像を読み取り、主走査方向特徴量解析部５２４及び副走査方向特徴量解析部５２６にて解析を行った結果を示している。この場合、主走査方向及び副走査方向の双方に連続した分布が２つ現れる。この場合も前述と同様に、反転回数が所定値（例えば、２０）以下のラインが、特徴量の分布の間に２０ｍｍ程度（解像度が７５ｄｐｉの場合、６０ライン程度）存在するか否かにより割付原稿であるか否かを判定する。
【００５２】
以上では、特徴量として反転回数を用いた解析手法について説明したが、画素値の平均値を用いる場合も同様である。すなわち、割付数が２（２ｉｎ１の原稿）の場合について説明すると、主走査方向には、連続した平均値（０と２５５との間の値）の分布が２つでき、分布と分布との間に空白領域が存在し、副走査方向には、行間があるため、所定の間隔毎に平均値が現れる分布となる。なお、主走査方向に現れる２つの分布の間の空白領域は、下地色、スキャナの読取誤差、ノイズ等に依存することとなるが平均値として２５５に近い値をとる。
【００５３】
以下、原稿種別判定の処理手順について説明する。図６及び図７は本実施の形態に係る画像処理装置が実行する処理の手順を説明するフローチャートである。まず、主走査方向の空白領域をカウントするためのパラメータＦｍ、及び副走査方向の空白領域をカウントするためのパラメータＦｓの値をそれぞれ０にセットする（ステップＳ１１）。次いで、信号変換部５２１においてＲＧＢ信号を輝度信号Ｙに変換する処理を行い（ステップＳ１２）、画像データを解像度化する解像度変換処理を行う（ステップＳ１３）。
【００５４】
次いで、画像の主走査方向及び副走査方向の各ラインについて特徴量を算出し（ステップＳ１４）、主走査方向及び副走査方向の特徴量の分布に関して解析を行う（ステップＳ１５）。
【００５５】
次いで、ステップＳ１５の解析結果に基づき、所定の条件を満たす空白領域が主走査方向に１つ存在するか否かを判断する（ステップＳ１６）。所定の条件を満たす空白領域が主走査方向に１つ存在する場合（Ｓ１６：ＹＥＳ）、Ｆｍの値を１にセットする（ステップＳ１７）。
【００５６】
Ｆｍの値を１にセットした場合（Ｓ１７）、又は主走査方向に所定の条件を満たす空白領域が存在しないと判断した場合（Ｓ１６：ＮＯ）、所定の条件を満たす空白領域が副走査方向に１つ存在するか否かを判断する（ステップＳ１８）。所定の条件を満たす空白領域が副走査方向に１つ存在する場合（Ｓ１８：ＹＥＳ）、Ｆｓの値を１にセットする（ステップＳ１９）。
【００５７】
Ｆｓの値を１にセットした場合（Ｓ１９）、又は副走査方向に所定の条件を満たす空白領域が存在しないと判断した場合（Ｓ１８：ＮＯ）、Ｆｍ＝１かつＦｓ＝１であるか否か、すなわち、主走査方向及び副走査方向の双方に所定の条件を満たす空白領域が存在するか否かを判断する（ステップＳ２０）。主走査方向及び副走査方向の双方に所定の条件を満たす空白領域が存在すると判断した場合（Ｓ２０：ＹＥＳ）、４ｉｎ１の原稿（４頁分の画像を１頁内に割り付けた割付原稿）であると判断し（ステップＳ２１）、本フローチャートによる処理を終了する。
【００５８】
また、Ｆｍ及びＦｓの何れか一方が１でないと判断した場合（Ｓ２０：ＮＯ）、Ｆｍ＝１かつＦｓ＝０であるか否かを判断する（ステップＳ２２）。Ｆｍ＝１かつＦｓ＝０であると判断した場合、すなわち、主走査方向にのみ所定の条件を満たす空白領域が存在すると判断した場合（Ｓ２２：ＹＥＳ）、２ｉｎ１の原稿（２頁分の画像を１頁内に割り付けた割付原稿）であると判断し（ステップＳ２３）、本フローチャートによる処理を終了する。また、Ｆｍ＝０かつＦｓ＝０又は１であると判断した場合、すなわち、主走査方向に所定の条件を満たす空白領域が存在しないと判断した場合（Ｓ２２：ＮＯ）、割付原稿ではない通常の原稿であると判断し（ステップＳ２４）、本フローチャートによる処理を終了する。
【００５９】
なお、画像処理装置は、原稿種別の判定に応じて所定の処理を実行してもよい。例えば、割り付けされた領域の画像を拡大、回転処理を行って１枚ずつ画像形成を行う。この場合、特徴量の分布の間に存在する空白領域の中心を割り付けられた画像の境界とし、この中心線を基準として有効画像領域を定めておく。図８は有効画像領域の設定例を示す模式図である。有効画像領域のデータを、Ａ４の原稿サイズで割付数が２の場合、１．４１倍に拡大する。原稿サイズの検知は公知の方法を採用することができる。原稿台内部に原稿サイズに応じて複数の光電センサを設けて光検知の有無により検出する方法等を用いることができる。割付原稿の画像の位置がずれており、有効画像領域が割付原稿からはみ出る場合は、はみ出る箇所に割付原稿の端部を除く余白部の画素値をはみ出た領域に割り当てればよい。
【００６０】
また、割付原稿をそのまま複写、ファイリング、電子配信する場合もあり、更に横書きで複数の段組よりなる原稿は、副走査方向に空白領域が現れるため、割付原稿でないと判断できるが、稀に縦書きで２段組みの場合のみ２ｉｎ１と区別できない場合もあるため、原稿種別の判定結果を、操作パネル１の表示部に表示し、割り付された領域の画像を拡大、回転処理を行って、１枚ずつ画像形成するか否かをユーザに選択させるようにしてもよい。
【００６１】
実施の形態２．
実施の形態１において説明した原稿種別判定方法を他の原稿種別判定方法と組み合わせて利用することも可能である。なお、このような原稿種別判定方法を実現するための画像処理装置は実施の形態１と全く同様であるため、その装置構成についての説明を省略することとする。
【００６２】
図９は実施の形態２に係る原稿種別判定の処理手順を説明するフローチャートである。まず、画像処理装置は、割付原稿判定処理を実行する（ステップＳ３１）。具体的には、図６及び図７のフローチャートに示した手順に従って判定対象の原稿が割付原稿であるか否かを判定する。判定結果は、図に示していないメモリに保持される。
【００６３】
次いで、注目画素を含むｎ×ｍブロックにおける最小濃度値及び最大濃度値を算出し（ステップＳ３２，Ｓ３３）、算出した最小濃度値及び最大濃度値を用いて最大濃度差を算出する（ステップＳ３４）。次いで、隣接する画素の濃度差の絶対値の総和（すなわち、総和濃度繁雑度）を算出する（ステップＳ３５）。
【００６４】
次いで、算出された最大濃度差と最大濃度差閾値との比較、及び算出された総和濃度繁雑度と総和濃度繁雑度閾値との比較を行い、最大濃度差及び総和濃度繁雑度が共に比較対象の閾値より小さいか否かを判断する（ステップＳ３６）。最大濃度差が最大濃度差閾値よりも小さく、かつ総和濃度繁雑度が総和濃度繁雑度閾値よりも小さいと判断した場合（Ｓ３６：ＹＥＳ）、注目画素は下地・印画紙領域であると判断する（ステップＳ３７）。
【００６５】
このとき、最大濃度差と予め定めた閾値（下地・印画紙判定閾値）との比較を行い、最大濃度差が下地・印画紙判定閾値より小さいか否かを判断する（ステップＳ３８）。最大濃度差が下地・印画紙判定閾値より小さい場合と判断した場合（Ｓ３８：ＹＥＳ）、注目画素を下地領域として計数し（ステップＳ３９）、最大濃度差が下地・印画紙判定閾値以上であると判断した場合（Ｓ３８：ＮＯ）、注目画素を印画紙領域として計数する（ステップＳ４０）。
【００６６】
一方、ステップＳ３６において、最大濃度差又は総和濃度繁雑度の何れか一方が比較対象の閾値以上であると判断した場合（Ｓ３６：ＮＯ）、注目画素は文字・網点領域であると判断する（ステップＳ４１）。
【００６７】
このとき、総和濃度繁雑度を予め定められた閾値（文字・網点判定閾値）との積と比較し、総和濃度繁雑度が積の値より小さいか否かを判断する（ステップＳ４２）。総和濃度繁雑度が積の値より小さいと判断した場合（Ｓ４２：ＹＥＳ）、注目画素を文字領域として計数し（ステップＳ４３）、総和濃度繁雑度が積の値以上であると判断した場合（Ｓ４２：ＮＯ）、注目画素を網点領域として計数する（ステップＳ４４）。
【００６８】
次いで、全ての画素の処理が終了したか否かを判断し（ステップＳ４５）、終了していないと判断した場合（Ｓ４５：ＮＯ）、処理をステップＳ３２へ戻す。また、全ての画素の処理が終了したと判断した場合（Ｓ４５：ＹＥＳ）、ステップＳ３９及びＳ４０、並びにステップＳ４３及びＳ４４での計数結果に基づいて原稿種別の判定を行う（ステップＳ４６）。下地領域、印画紙領域、網点領域、及び印画紙領域の各領域について閾値を設定しておき、各領域の計数結果と比較することにより、原稿種別の判定が可能となる。
【００６９】
例えば、文字領域の比率と網点領域の比率とが、それぞれ閾値以上の場合は、文字・網点原稿（文字印刷写真原稿）であると判定する。また、文字、網点、印画紙写真の順に検出精度が高いとすると、文字領域の比率が全画素数の３０％の場合には文字原稿、網点領域の比率が全画素数の２０％の場合には網点原稿（印刷写真原稿）、印画紙写真領域の比率が全画素数の１０％の場合には印画紙写真原稿であると判定する。ここでは、原稿種別として、文字原稿、文字印刷写真原稿、印刷写真原稿、印画紙写真原稿、文字印画紙写真原稿に判別する。尚、原稿種別の判別は、プレスキャンを行うのではなく、ハードディスク等の記憶手段に一旦格納された画像データを用いて行っても良い。
【００７０】
このように２種類の原稿判定方法を併用することにより、２ｉｎ１の文字原稿、文字印刷写真原稿等を判別することができる。なお、本実施の形態では、ステップＳ３１の割付原稿判定処理の後に領域判定を行う構成としたが、両者を並行して行う構成であってもよいことは勿論のことである。
【００７１】
実施の形態３．
以下では、プリンタ装置、デジタル複合機などの画像形成装置に本発明を適用した形態について説明する。
【００７２】
図１０は本実施の形態に係る画像形成装置の内部構成を説明するブロック図である。本実施の形態に係る画像形成装置は、操作パネル１、画像入力装置３、画像処理装置５、画像出力装置７を備える。
【００７３】
操作パネル１は、ユーザによる操作を受付けるためのインタフェースであり、各種スイッチ、ボタン等の操作部と、ユーザに対して報知すべき情報、画像等を表示する表示部とを備える。
【００７４】
画像入力装置３は、原稿の画像を光学的に読取る手段であり、読取用の原稿に光を照射する光源、ＣＣＤ（Charge Coupled Device）のようなイメージセンサ等を備えている。画像入力装置３では、所定の読取位置にセットされた原稿からの反射光像を当該イメージセンサに結像させ、ＲＧＢ（R : Red, G : Green, B : Blue）のアナログ電気信号を出力する。画像入力装置３が出力したアナログ電気信号は画像処理装置５へ入力される。
【００７５】
画像処理装置５は、画像入力装置３から出力されるアナログ電気信号をデジタル電気信号に変換した後、適宜の処理を行い、得られた画像信号を画像出力装置７へ出力する。なお、画像処理装置５の内部構成、動作等については後に詳述することとする。
【００７６】
画像出力装置７は、画像処理装置５が出力する画像信号に基づいて用紙、ＯＨＰフィルム等のシート上に画像形成を行う手段である。そのため、画像出力装置７は、感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（不図示）を備えており、電子写真方式にて利用者が所望する画像を用紙上に形成する。なお、レーザ書込装置を用いた電子写真方式により画像形成を行う他、インクジェット方式、熱転写方式、昇華方式等により画像形成を行う構成であってもよい。
【００７７】
次に、画像処理装置５の内部構成について説明する。ＡＤ変換部５０は、画像入力装置３から入力されたＲＧＢのアナログ信号をデジタル信号に変換する。シェーディング補正部５１は、ＡＤ変換部５０から出力されたデジタル形式のＲＧＢ信号に対して、画像入力装置３の照明系、結像系、撮像系で生じる各種の歪みを取り除く処理を施す。シェーディング補正されたＲＧＢ信号は原稿種別判定部５２へ出力される。
【００７８】
原稿種別判定部５２は、シェーディング補正部５１にて各種の歪みが取り除かれ、カラーバランスの調整がなされたＲＧＢ（ＲＧＢの反射率信号）を濃度信号などカラー画像処理装置に採用されている画像処理システムの扱いやすい信号に変換すると共に、原稿種別の判定を行う。本実施の形態では、原稿が１頁内に複数の画像を割り付けた割付原稿であるか否かの判定を行う。判定手法については実施の形態１又は実施の形態２で説明した手法を用いる。
【００７９】
入力階調補正部５３は、下地濃度の除去やコントラストなどの画質調整処理を行う。領域分離処理部５４は、ＲＧＢ信号より、入力画像中の各画素を文字領域、網点領域、写真領域の何れかに分離する処理を行う。領域分離処理部５４は、分離結果に基づき、画素がどの領域に属しているかを示す領域識別信号を後段の黒生成下色除去部５６、空間フィルタ処理部５７、及び階調再現処理部５９へ出力すると共に、入力階調補正部５３から出力された入力信号をそのまま後段の色補正部５５へ出力する。
【００８０】
色補正部５５は、色再現の忠実化再現のために、不要吸収成分を含むＣＭＹ色材の分光特性に基づいた色濁りを取り除く処理を行うものである。色補正されたＲＧＢ信号は、後段の黒生成下色除去部５６へ出力される。
【００８１】
黒生成下色除去部５６は、色補正後のＣＭＹの３色信号から黒（Ｋ）信号を生成する黒生成、元のＣＭＹ信号から黒生成で得たＫ信号を差し引いた新たなＣＭＹ信号を生成する処理を行う。この処理によってＣＭＹの３色信号はＣＭＹＫの４色信号に変換される。
【００８２】
黒生成処理の一例として、スケルトンブラックによる黒生成を行う方法がある。この方法では、スケルトンカーブの入出力特性をｙ＝ｆ（ｘ）、入力されるデータをＣ，Ｍ，Ｙ、出力されるデータをＣ’，Ｍ’，Ｙ’，Ｋ’、ＵＣＲ率（UCR : Under Color Removal）をα（０＜α＜１）とすると、黒生成下色除去処理は以下の式で表される。
【００８３】
Ｋ’＝ｆ｛ｍｉｎ（Ｃ，Ｍ，Ｙ）｝
Ｃ’＝Ｃ−αＫ’
Ｍ’＝Ｍ−αＫ’
Ｙ’＝Ｙ−αＫ’
【００８４】
空間フィルタ処理部５７は、黒生成下色除去部５６より入力されるＣＭＹＫ信号の画像データに対して、領域識別信号を基にデジタルフィルタによる空間フィルタ処理を行い、空間周波数特性を補正することによって出力画像のぼやけや粒子状劣化を防ぐように処理を行う。
【００８５】
例えば、領域分離処理部５４にて文字に分離された領域は、特に黒文字又は色文字の再現性を高めるために、空間フィルタ処理部５７による空間フィルタ処理における鮮鋭強調処理で高周波数の強調量が大きくされる。同時に、階調再現処理部５９においては、高周波数の再現に適した高解像度のスクリーンでの２値化又は多値化処理が選択される。また、領域分離処理部５４にて網点領域に分離された領域に関しては、空間フィルタ処理部５７において、入力網点成分を除去するためのローパスフィルタ処理が施される。そして、出力階調補正部５８において、濃度信号などの信号をカラー画像出力装置の特性値である網点面積率に変換する出力階調補正処理を行った後、階調再現処理部５９で最終的に画像を画素に分離してそれぞれの階調を再現できるように処理する階調再現処理を施す。また、領域分離処理部５４にて写真に分離された領域に関しては、階調再現性を重視したスクリーンでの２値化又は多値化処理が行われる。
【００８６】
前述した各処理が施された画像データは、一旦記憶手段（不図示）に記憶され、所定のタイミングで読出されて画像出力装置７へ出力される。
【００８７】
コピー機能、プリンタ機能、ファクシミリ機能、Ｅメール送受信機能等を備えるデジタルカラー複合機では、上記の構成に加えて、モデムやネットワークカードよりなる通信装置を更に備える。ファクシミリの送信を行うときは、モデムにて、相手先との送信手続きを行い送信可能な状態が確保されると、所定の形式で圧縮された画像データ（スキャナで読み込まれた画像データ）をメモリから読み出し、圧縮形式の変更など必要な処理を施して、相手先に通信回線を介して順次送信する。
【００８８】
ファクシミリを受信する場合、通信装置は、通信手続きを行いながら、相手先から送信されてくる画像データを受信して画像処理装置に入力し、画像処理装置では、受信した画像データを、不図示の圧縮／伸張処理部にて伸張処理を施す。伸張された画像データは、必要に応じて回転処理や解像度変換が行われ、出力階調補正、階調再現処理が施され、画像出力装置より出力される。
【００８９】
また、ネットワークカード、ＬＡＮケーブルを介して、ネットワークに接続されたコンピュータや他のデジタル複合機とデータ通信を行う。
【００９０】
上記では、カラー複合機について説明したが、モノクロの複合機であってもよいことは勿論のことである。
【００９１】
実施の形態４．
本実施の形態では、フラットベッドスキャナ等の画像読取装置に本発明を適用した形態について説明する。
【００９２】
図１１は本実施の形態に係る画像読取装置の内部構成を説明するブロック図である。本実施の形態に係る画像読取装置はカラー画像読取部１１０及びカラー画像処理部１２０により構成される。カラー画像処理部１２０は、ＡＤ変換部１２１、シェーディング補正部１２２、原稿種別判定部１２３を備える。
【００９３】
カラー画像読取部１１０は、例えばＣＣＤ（Charge Coupled Device ）を備えたスキャナ部より構成され、原稿からの反射光像を、ＲＧＢ（Ｒ：赤・Ｇ：緑・Ｂ：青）のアナログ信号としてＣＣＤにて読み取って、カラー画像処理部１２０に入力するものである。
【００９４】
カラー画像読取部１１０にて読み取られたアナログ信号は、カラー画像処理部１２０内を、ＡＤ変換部１２１、シェーディング補正部１２２、原稿種別判定部１２３の順で送られる。
【００９５】
ＡＤ変換部１２１は、ＲＧＢのアナログ信号をデジタル信号に変換するもので、シェーディング補正部１２２は、ＡＤ変換部１２１より送られてきたデジタルのＲＧＢ信号に対して、カラー画像読取部１１０の照明系、結像系、撮像系で生じる各種の歪みを取り除く処理を施すものである。また、シェーディング補正部１２２ではカラーバランスの調整を行う。また、シェーディング補正部１２２では、ＲＧＢの反射率信号を濃度信号に変換する。
【００９６】
原稿種別判定部１２３では、シェーディング補正部１２２にて各種の歪みが取り除かれカラーバランスの調整がなされたＲＧＢ信号（ＲＧＢの反射率信号）を濃度信号などカラー画像処理部１２０に採用されている画像処理システムの扱い易い信号に変換すると共に、割付原稿であるか否か、さらには、文字原稿であるか、印刷写真原稿であるか、あるいは、文字と印刷写真が混在した文字印刷写真原稿であるか等の原稿種別の判定を行う。
【００９７】
画像読取装置から出力された画像データ及び原稿種別判別信号は、ネットワークを介してプリンタや複合機に、あるいは、コンピュータに送信される。
【００９８】
実施の形態５．
前述した実施の形態では、各処理をハードウェアにより実現する構成としたが、ソフトウェアの処理により本発明を実現する構成としてもよい。
【００９９】
図１２は本発明のコンピュータプログラムのプログラムコード（実行形式プログラム、中間コードプログラム、ソースプログラム）がインストールされた画像処理装置の内部構成を説明するブロック図である。図中２００は、本実施の形態に係る画像処理装置であり、具体的にはパーソナルコンピュータ、ワークステーション等である。画像処理装置２００はＣＰＵ２０１を備えており、ＣＰＵ２０１にはＲＯＭ２０３、ＲＡＭ２０４、ハードディスク２０５、外部記憶部２０６、入力部２０７、表示部２０８、通信ポート２０９等のハードウェアがバス２０２を介して接続されている。ＣＰＵ２０１は、ＲＯＭ２０３に予め格納された制御プログラムのプログラムコードに従って前述のハードウェア各部を制御する。
【０１００】
ＲＡＭ２０４は前述の制御プログラム、又は本発明に係るコンピュータプログラムの実行中に生成される各種データを一時的に記憶する揮発性のメモリである。ハードディスク２０５は、磁気記録媒体を有する記憶手段であり、本発明のコンピュータプログラムのプログラムコード、処理対象の画像データ等が記憶される。外部記憶部２０６は、本発明のプログラムコードを記録した記録媒体Ｍからコンピュータプログラムを読取るための読取装置を備えている。記録媒体Ｍとしては、ＦＤ（Flexible Disk）、ＣＤ−ＲＯＭ等を用いることができる。外部記憶部２０６によって読取られたプログラムコードはハードディスク２０５に格納される。ＣＰＵ２０１はハードディスク２０５に格納された本発明に係るプログラムコードをＲＡＭ２０４上にロードして実行することにより、実施の形態１で説明したような本発明に係る画像処理方法を実現する。
【０１０１】
入力部２０７は、外部から画像データを取得するためのインタフェースとして機能する。入力部２０７には、例えば、カラースキャナ装置などが接続される。表示部２０８は、処理対象の画像データ、画像処理中の画像データ、画像処理後の画像データ等を表示するためのインタフェースとして機能する。表示部２０８に液晶ディスプレイ装置などの外部表示装置を接続して画像データを表示する構成であってもよく、表示部２０８自身が表示装置を備え、画像データを表示する構成であってもよい。通信ポート２０９は、外部にプリンタ３００を接続するためのインタフェースである。画像処理された画像データをプリンタ３００にて印刷する場合、画像処理装置２００は、前記画像データを基にプリンタ３００にてデコード可能なプリントデータを生成し、生成したプリントデータをプリンタ３００へ送信する。
【０１０２】
なお、本実施の形態では、各種演算をＣＰＵ２０１が実行する構成としたが、画像処理に係る演算を行う専用のチップを別途設け、ＣＰＵ２０１からの指示により演算を行う構成としてもよい。
【０１０３】
また、本発明に係るコンピュータプログラムを記録する記録媒体Ｍとしては、前述したＦＤ及びＣＤ−ＲＯＭの他に、ＭＯ、ＭＤ、ＤＶＤ等の光ディスク、ハードディスク等の磁気記録媒体、ＩＣカード、メモリカード、光カード等のカード型記録媒体、マスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリの利用も可能である。また、インターネットを含む通信ネットワークを接続可能なシステム構成であることから、通信ネットワークから本発明に係るプログラムコードをダウンロードするようにしてもよい。なお、本発明は、上記プログラムコードが電子的な伝送で具現化された、搬送波に埋め込まれたコンピュータデータ信号の形態でも実現され得る。
【０１０４】
また、本発明のコンピュータプログラムは、単体のアプリケーションプログラム、ユーティリティプログラムとして提供される形態であってもよく、他のアプリケーションプログラム、ユーティリティプログラムに組み込み、そのプログラムの一部の機能として提供する形態であってもよい。例えば、その一形態としてプリンタドライバに組み込んで提供する形態が考えられる。この場合、原稿画像を読取って取得した画像データに基づいて原稿種別の判定を行い、判定結果に応じた画像処理を施した後、プリンタ言語に翻訳して目的のプリンタ装置へ送信する処理が行われる。
【図面の簡単な説明】
【０１０５】
【図１】本実施の形態に係る画像処理装置の内部構成を説明するブロック図である。
【図２】主走査方向及び副走査方向の特徴量の分布の解析例を説明する説明図である。
【図３】主走査方向及び副走査方向の特徴量の分布の解析例を説明する説明図である。
【図４】主走査方向及び副走査方向の特徴量の分布の解析例を説明する説明図である。
【図５】主走査方向及び副走査方向の特徴量の分布の解析例を説明する説明図である。
【図６】本実施の形態に係る画像処理装置が実行する処理の手順を説明するフローチャートである。
【図７】本実施の形態に係る画像処理装置が実行する処理の手順を説明するフローチャートである。
【図８】有効画像領域の設定例を示す模式図である。
【図９】実施の形態２に係る原稿種別判定の処理手順を説明するフローチャートである。
【図１０】本実施の形態に係る画像形成装置の内部構成を説明するブロック図である。
【図１１】本実施の形態に係る画像読取装置の内部構成を説明するブロック図である。
【図１２】本発明のコンピュータプログラムのプログラムコード（実行形式プログラム、中間コードプログラム、ソースプログラム）がインストールされた画像処理装置の内部構成を説明するブロック図である。
【符号の説明】
【０１０６】
５２  原稿種別判定部
５２１  原稿変換部
５２２  解像度変換部
５２３  主走査方向特徴量算出部
５２４  主走査方向特徴量解析部
５２５  副走査方向特徴量算出部
５２６  副走査方向特徴量解析部
５２７  判定部
【図１】
2008305099.tif 000003
【図２】
2008305099.tif 000004
【図３】
2008305099.tif 000005
【図４】
2008305099.tif 000006
【図５】
2008305099.tif 000007
【図６】
2008305099.tif 000008
【図７】
2008305099.tif 000009
【図８】
2008305099.tif 000010
【図９】
2008305099.tif 000011
【図１０】
2008305099.tif 000012
【図１１】
2008305099.tif 000013
【図１２】
2008305099.tif 000014